(57)【要約】  【課題】  枠組足場の側面にユニット式の仮設階段などを容易にかつ安定させて設置させることができると共に、足場の強度面や作業安全面においても好適な枠組足場の手摺枠を提供する。  【解決手段】  手摺枠本体２の下部に横桟３を配設し、この横桟３の両端部には建枠Ｂの横架材Ｄに係止する係止金具２１を備える。また、手摺枠本体２の両端部には建枠Ｂの脚柱Ｃを把持する把持金具１８を備え、手摺枠本体２の長手方向の中間部には通路用の開口部９を形成する。そして、この手摺枠１を枠組足場Ａの側面に取り付ければ、その横桟３にユニット式の仮設階段Ｇなどの係止金具Ｇａを係止させることができ、枠組足場Ａの側面に仮設階段Ｇなどを容易にかつ安定させて設置することができるようになる。【選択図】  図４
2006118316.tif 000002
【特許請求の範囲】
【請求項１】
枠組足場の側面に取り付ける手摺枠であって、手摺枠本体の下部に手摺枠本体の長手方向と平行に横桟を配設し、該横桟の両端部には建枠の横架材に係止する係止金具を備えると共に、前記手摺枠本体の長手方向の両端部には建枠の脚柱を把持する把持金具を備え、手摺枠本体の長手方向の中間部には通路用の開口部を形成したことを特徴とする枠組足場の手摺枠。
【請求項２】
前記開口部には、開口部を開放・閉鎖する掛止具を備えたことを特徴とする請求項１記載の枠組足場の手摺枠。
【請求項３】
前記手摺枠本体は、伸縮自在または折り畳み自在または分解自在のいずれかとし、運搬・収納時に嵩張らないように構成したことを特徴とする請求項１または２記載の枠組足場の手摺枠。
【発明の詳細な説明】
【技術分野】
【０００１】
本発明は、建築現場などに設置される枠組足場の側面に取り付ける手摺枠に関し、特にその手摺枠の下部にユニット式の仮設階段などを連結可能として、枠組足場の側面に仮設階段などを容易に設置できるように構成した枠組足場の手摺枠に関する。
【背景技術】
【０００２】
従来、建築工事などに設置される枠組足場の側面に対してユニット式の仮設階段などを設置するとき、枠組足場の側面には仮設階段などの端部に設けられた係止金具を係止させる箇所がもともとないため、枠組足場の側面に沿わせて配したパイプ材をクランプなどで固定し、その固定したパイプ材に仮設階段などの係止金具を係止させることで連結するようにしているが、パイプ材をいちいちクランプにて固定するといった作業は大変煩わしい上、パイプ材を正確に水平に固定するのは容易ではなく、その結果、パイプ材に係止させる仮設階段や仮設通路などにぐらつきが生じて不安定となることがあった。また、上記のようにして仮設階段などを連結した枠組足場の側面には、作業者用の通路を確保するため筋交いや手摺枠などの手摺部材を取り付けないことが多く、足場の強度面においてもまた作業安全面においても問題があった。
【０００３】
一方、このような枠組足場の側面に、例えば特許文献１（特開平８−１８４１７６号）に示されるような、通路用の開口部を形成した手摺枠を取り付けるようにしたものがある。これは、特許文献１の図面からも分かるように、枠組足場の側面に別の枠組足場を近接させて設置した場合に採用されるものであって、これによれば作業者が二つの枠組足場間を乗り移りやすいように通路を確保でき、またその両脇の隙間を手摺枠にて確実にカバーできると共に、枠組足場の強度も十分に確保することができると考えられる。
【特許文献１】特開平８−１８４１７６号
【発明の開示】
【発明が解決しようとする課題】
【０００４】
しかしながら、上記特許文献１の手摺枠を採用したとしても、この手摺枠には仮設階段などの係止金具を係止させられる構成とはなっていないため、枠組足場の側面に仮設階段などを連結させて設置するようなときには、依然として連結用のパイプ材を固定する必要があり、容易にかつ安定させて設置させることが可能となるわけではない。
【０００５】
本発明は上記の点に鑑み、枠組足場の側面にユニット式の仮設階段などを容易にかつ安定させて設置させることができると共に、足場の強度面や作業安全面においても好適な枠組足場の手摺枠を提供することを課題とする。
【課題を解決するための手段】
【０００６】
本発明は上記の課題を解決するために、請求項１記載の枠組足場の手摺枠にあっては、枠組足場の側面に取り付ける手摺枠であって、手摺枠本体の下部に手摺枠本体の長手方向と平行に横桟を配設し、該横桟の両端部には建枠の横架材に係止する係止金具を備えると共に、前記手摺枠本体の長手方向の両端部には建枠の脚柱を把持する把持金具を備え、手摺枠本体の長手方向の中間部には通路用の開口部を形成したことを特徴としている。
【０００７】
また、請求項２記載の枠組足場の手摺枠にあっては、前記開口部には、開口部を開放・閉鎖する掛止具を備えたことを特徴としている。
【０００８】
また、請求項３記載の枠組足場の手摺枠にあっては、前記手摺枠本体は、伸縮自在または折り畳み自在または分解自在のいずれかとし、運搬・収納時に嵩張らないように構成したことを特徴としている。
【発明の効果】
【０００９】
本発明に係る請求項１記載の枠組足場の手摺枠によれば、手摺枠本体の下部に手摺枠本体の長手方向と平行に横桟を配設し、該横桟の両端部には建枠の横架材に係止する係止金具を備えると共に、前記手摺枠本体の長手方向の両端部には建枠の脚柱を把持する把持金具を備え、手摺枠本体の長手方向の中間部には通路用の開口部を形成したので、手摺枠の横桟にユニット式の仮設階段や仮設通路などの係止金具を係止させることができ、枠組足場の側面に仮設階段や仮設通路などを容易にかつ安定させて設置することができ、また足場の強度面や作業安全面においても好適なものとなっている。
【００１０】
また、請求項２記載の枠組足場の手摺枠によれば、前記開口部には、開口部を開閉する掛止具を備えたので、仮設階段や仮設通路を使用しないときには掛止具を掛け止めることによって開口部を閉鎖することができ、作業安全性の向上が期待できる。
【００１１】
また、請求項３記載の枠組足場の手摺枠によれば、前記手摺枠本体は、伸縮自在または折り畳み自在または分解自在のいずれかとし、運搬・収納時に嵩張らないように構成したので、運搬時や収納時に嵩張らなくて取り扱いやすいものとなっている。
【発明を実施するための最良の形態】
【００１２】
請求項１記載の枠組足場の手摺枠にあっては、手摺枠本体の下部に手摺枠本体と平行に横桟を配設し、該横桟の両端部には建枠の横架材に係止する係止金具を備える。また、手摺枠本体の両端部には建枠の脚柱を把持して固定する把持金具を備えると共に、手摺枠本体の中間部には通路用の開口部を形成して手摺枠と成す。そして、建築現場などに設置した枠組足場の側面に仮設階段や仮設通路などを設置するときには、先ず、仮設階段や仮設通路などを設置する予定の枠組足場の側面に前記手摺枠を配し、手摺枠の横桟両端部の係止金具を隣接する建枠のそれぞれの横架材に係止させると共に、手摺枠本体の両端部の把持金具にて建枠の脚柱を把持させて固定する。そして、この固定した手摺枠の開口部下位の横桟にユニット式の仮設階段や仮設通路などの係止金具を係止させ、仮設階段や仮設通路の設置を終える。
【００１３】
このように、枠組足場の側面への前記手摺枠の設置により、通路用の開口部を確保しつつ、その開口部の周囲を手摺枠にてカバーして作業安全を保ち、更に足場強度の確保も図れると共に、その手摺枠の横桟に仮設階段や仮設通路の係止金具を係止させることができ、枠組足場の側面にユニット式の仮設階段や仮設通路を容易にかつ安定させて設置することが可能となる。
【００１４】
また、請求項２記載の枠組足場の手摺枠にあっては、前記開口部には、開口部を開放・閉鎖する、例えば鎖状の掛止具を備える。そして、作業時などにおいては前記掛止具を掛け止めておいて、作業者が何らかの拍子で開口部より転落したりしないように図っている。
【００１５】
また、請求項３記載の枠組足場の手摺枠にあっては、手摺枠本体を横方向に伸縮自在としたり、または折り畳み自在としたり、または適宜にばらばらに分解自在としている。そして、運搬・収納時に適宜縮小したり、折り畳んだり、分解したりして嵩を低くし、取り扱いやすいように図っている。
【実施例１】
【００１６】
以下、本発明の実施例を図面に基づいて説明する。
【００１７】
図３中のＡは建築現場などに設置される枠組足場であって、複数の建枠Ｂを所定間隔にて平行に立設し、該建枠Ｂの脚柱Ｃ間に筋交いＥを掛け止めると共に、建枠Ｂの横架材Ｄ間には足場板Ｆを架設して一組の枠組足場Ａを構成し、これを上下左右に所望数連結している。また、Ｇは前記枠組足場Ａの上下階を行き来するためのユニット式の仮設階段である。
【００１８】
図１乃至図４中の１は前記枠組足場Ａの側面に取り付ける本発明の一実施例の手摺枠であって、該手摺枠１は手摺枠本体２と、その下部側に配設した横桟３とから主体を構成している。前記手摺枠本体２は、複数の鋼管を折曲するなどして枠体状に形成したものであり、その長手方向の中央部には主枠４を備える一方、該主枠４の両側部には一対の側枠５をそれぞれ備えている。前記主枠４は、枠組足場Ａの建枠Ｂの脚柱Ｃより若干短い一対の縦材６の上端部同士を横材７にて連結すると共に、アーチ状の補強材８を取り付けて略門形状としており、その中央には作業者が通行可能なように開口部９を形成している。また、前記主枠４の縦材６の上下端部、及びその中間部には、縦材６の外径より若干大きい内径を有した三本の短管１０を横材７と平行にそれぞれ固着している。
【００１９】
前記側枠５は、略コ字形状の枠材１１の中間部に補強用の中間材１２を連結し、図１に示すような略ヨ字形状としたものであって、その三本の遊端部をそれぞれ主枠４の短管１０に嵌挿させて主枠４に対して進退自在に取り付けると共に、側枠５の遊端部にはストッパ１３を備えて抜け止めを図っている。また、短管１０の所定位置には透孔１４を、また枠材１１の横材部１１ｂの内方側と外方側の所定位置には透孔１５ａ、１５ｂを穿設すると共に、主枠４の短管１０付近の縦材６には前記透孔１４、１５ａ、１５ｂへ挿通可能な係止ピン１６をチェーン１７などで取り付けている。
【００２０】
そして、手摺枠１を枠組足場Ａの側面に取り付けるときには、図１に示すように側枠５をストッパ１３が引っ掛かるまで伸ばした状態とする。このとき、短管１０の透孔１４と枠材１１の横材部１１ｂの内方側の透孔１５ａが合致するようにしており、これらの透孔１４、１５ａへ係止ピン１６を挿通させることで固定可能としている。また、手摺枠１を収納するときなどには、図２に示すように側枠５を縮めた状態とする。このとき、短管１０の透孔１４と枠材１１の横材部１１ｂの外方側の透孔１５ｂが合致するようにしており、これらの透孔１４、１５ｂへ、前記と同様に係止ピン１６を挿通させることで固定可能としている。
【００２１】
また、枠材１１の縦材部１１ａには、枠組足場Ａの建枠Ｂの脚柱Ｃを把持して固定するための把持金具１８を上下に一対備えている。また、主枠４の縦材６の略中央高さ位置には、開口部９の安全を確保するために、チェーンやロープなどの掛止具１９を掛け留めるための掛け止め片２０を備えており、開口部９を通行するときには掛止具１９を取り外して開口部９を開放する一方、開口部９を使用しないときには掛止具１９を掛け止め片２０間に掛け止めて開口部９を閉鎖するようにしている。
【００２２】
前記横桟３は、仮設階段Ｇの係止金具Ｇａが係止可能なように建枠Ｂの横架材Ｄなどと同径で、かつ枠組足場Ａの１スパン分の長さに近い鋼管から成り、その両端には建枠Ｂの横架材Ｄに係止させて固定する係止金具２１をそれぞれ備えると共に、その中間の上部には手摺枠本体２の主枠４の一対の縦材６下端部を嵌入可能なように所定距離を隔てて一対の縦管２２を備えており、これら縦管２２に前記縦材６下端部を嵌入させてピン止めなどで固定することにより、横桟３上に手摺枠本体２を立設可能としている。
【００２３】
しかして、本発明の手摺枠１を使用して枠組足場Ａの側面に仮設階段Ｇを設置するときには、図４に示すように、先ず、手摺枠１の横桟３部分のみを枠組足場Ａの側面位置に配置し、その両端部の係止金具２１をそれぞれ対向する建枠Ｂの横架材Ｄに、足場板Ｆの係止金具と脚柱Ｃとの隙間に割り込ませるように係止させて固定する。このとき、横桟３は上記のように対向する建枠Ｂの横架材Ｄ間に係止金具２１にて架設させる構造であるため、取り付けが簡単な上、確実に水平度を保つことができる。
【００２４】
次に、側枠５を縮めた状態の手摺枠本体２部分の縦材６を前記横桟３の縦管２２に嵌入させ、ピン止めなどにより立設固定する。そして、その状態から側枠５を左右に引き伸ばして係止ピン１６にて固定すると共に、各側枠５に備えた把持金具１８にて対向する建枠Ｂの脚柱Ｃをそれぞれ把持させて固定し、手摺枠１の設置を完了する。このとき、枠組足場Ａのこの側面部分には筋交いＥを取り付けていないものの、手摺枠１の設置によって足場の強度や作業安全性などは十分に確保することができる。
【００２５】
そして、この手摺枠１を構成する主枠４の一対の縦材６間に挟まれる横桟３部分に、ユニット式の仮設階段Ｇの係止金具Ｇａを係止させて固定し、枠組足場Ａの側面への仮設階段Ｇの設置を完了する。このとき、横桟３は前記の通り確実に水平に保たれているため、これに係止させる仮設階段Ｇもぐらつくようなおそれもなく安定して設置することができる。そして、作業者がこの仮設階段Ｇを昇降するときには、手摺枠１の掛止具１９を取り外して開口部９を開放状態として通行可能にする一方、作業者が仮設階段Ｇを使用しないときには、掛止具１９を掛け止めて開口部９を閉鎖状態とし、作業中に誤って開口部９より転落することのないようにする。
【００２６】
このように、枠組足場Ａの側面に対してユニット式の仮設階段Ｇをごく簡単に設置することができると共に、設置後もぐらつきなどのない安定した好適なものとすることができる。また、仮設階段Ｇを設置するにあたってその部分の筋交いＥを取り外すものの、手摺枠１自体が筋交いＥの代わりとなるため、足場強度や作業安全性が低下するおそれはない。
【００２７】
一方、枠組足場Ａから仮設階段Ｇ及び手摺枠１を取り外すときには、上記手順と逆の手順で行う。そして、取り外し終えた手摺枠１の手摺枠本体２と横桟３とは別々に分離すると共に、手摺枠本体２の左右の側枠５は内方へ縮めた状態にした上で係止ピン１６にて固定する。このようにすることで、手摺枠１のサイズをコンパクトに抑えることができ、運搬するときや収納するときなどに便利である。
【実施例２】
【００２８】
また、図５及び図６は本発明の第二の実施例の手摺枠１を示すものであり、図１乃至図４に示される第一の実施例と同じ部位に相当する部位には同じ番号を付して重複する説明は省略する。
【００２９】
本実施例では、主枠４の縦材６の上下端部、及びその中間部には縦材６の外径より若干大きい内径を有した三本の縦管２３を縦材６に対して回動自在に嵌合していると共に、該縦管２３の側部には水平に横管２４を突設している。２５は縦材６の側壁面に周設したストッパであって、前記縦管２３はこのストッパ２５にて高さ位置を位置決めされている。２６は縦管２３の回動を規制する回動規制片であり、縦管２３上端部の一部を切り欠いて溝を形成し、この溝内に前記回動規制片２６を嵌め込むことにより、縦管２３の回動をおおよそ図５の矢印の範囲に規制するようにしている。これにより、横管２４に取り付ける側枠５が枠組足場Ａ外方側へ回動できなくなり、作業中などに誤って側枠５が回動して作業者が転落したりしないように図っている。また、縦材６と、縦材６の上下端部の縦管２３の所定位置にはそれぞれ透孔２７、２８を穿設していると共に、主枠４の縦管２３付近の縦材６には前記透孔２７、２８へ挿通可能な係止ピン２９をチェーン３０などで取り付けている。
【００３０】
また、側枠５は、三本の遊端部をそれぞれ前記縦管２３に突設させた横管２４に嵌挿させて進退自在に取り付けていると共に、中間部の横管２４遊端部にはストッパ３１を備え、かつ側枠５の中間材１２遊端部には突起片（図示せず）を備えて抜け止めを図っている。また、上下端部の横管２４の遊端部にはボルトナットを３２備えており、該ボルトナット３２の締緩操作により、進退させた側枠５の固定を行うようにしている。更に、一方の側枠５下端部の横材部１１ｂには連結板３３を軸着し、該連結板３３の遊端部、及び他方の側枠５の横材部１１ｂの所定位置にはそれぞれ透孔３４、３５を穿設していると共に、透孔３５近傍の横管２４には前記透孔３４、３５へ挿通可能な係止ピン３６をチェーン３７などで取り付けている。
【００３１】
そして、手摺枠１を枠組足場Ａの側面に取り付けるときには、図５に示すように、左右の側枠５を外方へ回動させて拡げた上で、合致する縦管２３の透孔２８と、縦材６の透孔２７へ係止ピン２９を挿通させて固定し、その状態で側枠５をストッパ３１が引っ掛かるまで目一杯引き伸ばし、ボルトナット３２にて締結固定するようにしている。一方、手摺枠１を収納するときなどには、図６に示すように側枠５を縮めると共に、内方へ回動させてコンパクトに折り畳んだ上で、合致する縦管２３の透孔２８と、縦材６の透孔２７へ係止ピン２９を挿通させて固定し、更に連結板３３を水平に回動させて、合致する連結材３３の透孔３４と、側枠５の横材部１１ｂの透孔３５へ係止ピン３６を挿通させて固定し、運搬や収納などに便利なようにしている。
【実施例３】
【００３２】
また、図７及び図８は本発明の第三の実施例の手摺枠１を示すものであり、図１乃至図４に示される第一の実施例と同じ部位に相当する部位には同じ番号を付して重複する説明は省略する。
【００３３】
本実施例では、手摺枠本体２を、枠材１１と、中間材１２、及び縦材６とから成る一対の側枠５と、横材７にて構成しており、各側枠５と横材７とは図７及び図８に示すように連結・分解可能としている。
【００３４】
そして、手摺枠１を枠組足場Ａの側面に取り付けるときには、図７に示すように、左右の側枠５の下端部をそれぞれ横桟３の縦管２２に嵌入して立設固定し、これら各側枠５の上端部に横材７を連結して固定するようにしている。一方、手摺枠１を収納するときなどには、上記と逆の手順で、図８に示すように横材７を取り外すと共に、各側枠５を横桟３より抜き取り、運搬や収納などに便利なようにばらばらに分解するようにしている。
【００３５】
なお、上記各実施例においては、枠組足場Ａの側面に取り付けた手摺枠１に対してユニット式の仮設階段Ｇを設置する場合を説明しているが、何ら仮設階段のみに限定するものではなく、例えば枠組足場Ａの側面にユニット式の仮設通路などを連結して架設するような場合にも好適に採用することができる。
【図面の簡単な説明】
【００３６】
【図１】本発明に係る枠組足場の手摺枠の正面図である。
【図２】運搬・収納時などにおいて、側枠を縮めた状態の図１に相当する図である。
【図３】手摺枠を枠組足場の側面に取り付けて、ユニット式の仮設階段を設置した状態を示す斜視図である。
【図４】図３の要部拡大図である。
【図５】本発明に係る別の実施例の枠組足場の手摺枠の正面図である。
【図６】運搬・収納時などにおいて、側枠を折り畳んだ状態の図５に相当する図である。
【図７】本発明に係る更に別の実施例の枠組足場の手摺枠の正面図である。
【図８】運搬・収納時などにおいて、手摺枠本体を分解した状態の図７に相当する図である。
【符号の説明】
【００３７】
１…手摺枠                      ２…手摺枠本体
３…横桟                        ４…主枠
５…側枠                        ９…開口部
１８…把持金具                  １９…掛止具
２１…係止金具
Ａ…枠組足場                    Ｂ…建枠
Ｃ…脚柱                        Ｄ…横架材
Ｅ…筋交い                      Ｆ…足場板
Ｇ…仮設階段
【図１】
2006118316.tif 000003
【図２】
2006118316.tif 000004
【図３】
2006118316.tif 000005
【図４】
2006118316.tif 000006
【図５】
2006118316.tif 000007
【図６】
2006118316.tif 000008
【図７】
2006118316.tif 000009
【図８】
2006118316.tif 000010